(57)【要約】【課題】操作体を表示面に接触させたときに、その接触パターン、接触位置、接触対象画像をユーザーに認識させることができる表示装置を提供する。【解決手段】表示面１０に物体が接触すると、操作検知部２が、物体の接触パターンを検知して接触パターン信号を出力し、鳴動制御部３が、接触パターン信号に基づき、複数の異なる鳴動指示信号から１つの鳴動指示信号を選択して出力し、鳴動部４が、出力された鳴動指示信号に基づいて音声を出力する。接触パターンの違いに応じて、異なる出力パターンの音声が出力されるから、ユーザーは、ユーザーが意図する物体の接触パターンと、表示装置１が認識する接触パターンとが一致しているかどうかを即座に知ることができるので、誤操作を起こしたときに、直ちに操作を修正することが可能である。【選択図】  図１
2014179026.tif 000002
【特許請求の範囲】
【請求項１】
表示面を有する表示手段と、
前記表示面に物体が接触すると、物体の前記表示面への接触パターンを検知して、該接触パターンを表わす接触パターン信号を出力する操作検知手段と、
複数の鳴動指示情報であって、各々が音声の出力パターンが互いに異なる鳴動を指示する複数の鳴動指示情報を、物体の接触パターンと関連付けて記憶する鳴動指示情報記憶手段と、
出力された前記接触パターン信号を受信して、該接触パターン信号が表わす接触パターンと関連付けられた鳴動指示情報を、前記鳴動指示情報記憶手段から選択し、該選択された鳴動指示情報に対応する鳴動指示信号を出力する音声出力制御手段と、
出力された前記鳴動指示信号を受信して、該鳴動指示信号に対応する出力パターンで音声を鳴動させる音声鳴動手段とを有することを特徴とする表示装置。
【請求項２】
表示面を有する表示手段と、
前記表示面に物体が接触すると、物体の前記表示面への接触位置を検知して、該接触位置を表わす接触位置信号を出力する操作検知手段と、
複数の鳴動指示情報であって、各々が音声の出力パターンが互いに異なる鳴動を指示する複数の鳴動指示情報を、物体の接触位置と関連付けて記憶する鳴動指示情報記憶手段と、
出力された前記接触位置信号を受信して、該接触位置信号が表わす接触位置と関連付けられた鳴動指示情報を、前記鳴動指示情報記憶手段から選択し、該選択された鳴動指示情報に対応する鳴動指示信号を出力する音声出力制御手段と、
出力された前記鳴動指示信号を受信して、該鳴動指示信号に対応する出力パターンで音声を鳴動させる音声鳴動手段とを有することを特徴とする表示装置。
【請求項３】
複数の画像が表示される表示面を有する表示手段と、
前記複数の画像のうちの１つに物体が接触すると、該物体が接触した画像を検知して、該画像を表わす画像信号を出力する操作検知手段と、
複数の鳴動指示情報であって、各々が音声の出力パターンが互いに異なる鳴動を指示する複数の鳴動指示情報を、画像と関連付けて記憶する鳴動指示情報記憶手段と、
出力された前記画像信号を受信して、該画像信号に対応する画像と関連付けられた鳴動指示情報を、前記鳴動指示情報記憶手段から選択し、該選択された鳴動指示情報に対応する鳴動指示信号を出力する音声出力制御手段と、
出力された前記鳴動指示信号を受信して、該鳴動指示信号に対応する出力パターンで音声を鳴動させる音声鳴動手段とを有することを特徴とする表示装置。
【請求項４】
表示面を有する表示手段と、
前記表示面に物体が接触すると、物体の前記表示面への接触パターンを検知して、該接触パターンを表わす接触パターン信号を出力する操作検知手段と、
複数の振動指示情報であって、各々が振動の発生パターンが互いに異なる振動を指示する複数の振動指示情報を、接触パターンと関連付けて記憶する振動指示情報記憶手段と、
出力された前記接触パターン信号を受信して、該接触パターン信号が表わす接触パターンと関連付けられた振動指示情報を、前記振動指示情報記憶手段から選択し、該選択された振動指示情報に対応する振動指示信号を出力する振動制御手段と、
出力された前記振動指示信号を受信して、該振動指示信号に対応する発生パターンで前記装置本体を振動させる振動発生手段とを有することを特徴とする表示装置。
【請求項５】
表示面を有する表示手段と、
前記表示面に物体が接触すると、物体の前記表示面への接触位置を検知して、該接触位置を表わす接触位置信号を出力する操作検知手段と、
複数の振動指示情報であって、各々が振動の発生パターンが互いに異なる振動を指示する複数の振動指示情報を、物体の接触位置と関連付けて記憶する振動指示情報記憶手段と、
出力された前記接触位置信号を受信して、該接触位置信号が表わす接触位置と関連付けられた振動指示情報を、前記振動指示情報記憶手段から選択し、該選択された振動指示情報に対応する振動指示信号を出力する振動制御手段と、
出力された前記振動指示信号を受信して、該振動指示信号に対応する発生パターンで前記装置本体を振動させる振動発生手段とを有することを特徴とする表示装置。
【請求項６】
複数の画像が表示される表示面を有する表示手段と、
前記複数の画像のうちの１つに物体が接触すると、該物体が接触した画像を検知して、該画像を表わす画像信号を出力する操作検知手段と、
複数の振動指示情報であって、各々が振動の発生パターンが互いに異なる振動を指示する複数の振動指示情報を、画像と関連付けて記憶する振動指示情報記憶手段と、
出力された前記画像信号を受信して、該画像信号に対応する画像と関連付けられた振動指示情報を、前記振動指示情報記憶手段から選択し、該選択された振動指示情報に対応する振動指示信号を出力する振動制御手段と、
出力された前記振動指示信号を受信して、該振動指示信号に対応する発生パターンで前記装置本体を振動させる振動発生手段とを有することを特徴とする表示装置。
【発明の詳細な説明】
【技術分野】
【０００１】
本発明は、表示面にタッチパネルなどの検知手段を有する表示装置に関する。
【背景技術】
【０００２】
スマートフォンやタブレット型ＰＣ（Personal Computer）などの表示装置にあっては、液晶パネルなどから成る表示手段の表示面に、タッチパネルなどの操作検知手段を設けたものが広く使用されている。かかる表示装置では、ユーザーが指またはタッチペンなどの物体（以下、操作体という）を表示面に接触させると、その接触位置や接触の仕方などをタッチパネルが検知することによって、表示装置に所定の動作を実行させたり、表示装置にデータを入力したりなどできるように構成されている。
【０００３】
ところで、表示装置に動作命令やデータを入力する際に、音声による入力補助を行う入力装置が従来提案されている。特許文献１は、音声による操作案内および動作制御が可能な表示装置を提供するものであり、音声を生成し出力する音声出力部と、音声を入力する音声入力部と、音声入力部に入力された音声を認識する音声認識部とを有し、ユーザーが音声入力部に入力した音声を、音声認識部が認識し、その認識結果に基づいて、音声出力部から所定の音声案内メッセージが出力されるようになされている。
【先行技術文献】
【特許文献】
【０００４】
【特許文献１】特開２００３−３１６５６４号公報
【発明の概要】
【発明が解決しようとする課題】
【０００５】
タッチパネルは、表示装置に動作命令やデータなどを入力するための入力手段として機能するものであるが、タッチパネルに指やタッチペンなどの操作体を接触させて入力操作を行うにあたり、下記問題点がある。
【０００６】
操作体をタッチパネルに接触させて入力操作を行う場合に用いられる接触パターンは、接触時間、接触回数、接触後の動作などによって分類される「シングルタップ」「ダブルタップ」「ドラッグ」「ロングプレス」と呼ばれる４種類が通常採用されている。入力操作時における各接触パターンの区別は、ユーザーが感覚的に行っている。そのため、「ダブルタップ」のつもりが、装置側では「シングルタップ」２回と認識されたり、「ロングプレス」のつもりが装置側では 「シングルタップ」に認識されたりするという問題点がある。
【０００７】
また、タッチパネルで入力操作を実行する際に、操作体が表示面に触れている正確な位置が、ユーザーに分かりにくいという問題点がある。
【０００８】
さらにまた、表示面に表示されるアイコンなどの画像に、操作体を接触させることによって、所定の動作を装置に実行させる場合において、表示面に多数の画像が表示されているときに、操作体が触れている画像が対象画像であるかどうかが、ユーザーに分かりにくいという問題点がある。
【０００９】
前記問題点は、特許文献１に記載の従来技術では解決することができない。
【００１０】
本発明の目的は、操作体などの物体を表示面に接触させたときに、その接触パターン、接触位置、接触対象画像が正しいものであるかどうかを、ユーザーが容易に判別できる表示装置を提供することである。
【課題を解決するための手段】
【００１１】
本発明は、表示面を有する表示手段と、
前記表示面に物体が接触すると、物体の前記表示面への接触パターンを検知して、該接触パターンを表わす接触パターン信号を出力する操作検知手段と、
複数の鳴動指示情報であって、各々が音声の出力パターンが互いに異なる鳴動を指示する複数の鳴動指示情報を、物体の接触パターンと関連付けて記憶する鳴動指示情報記憶手段と、
出力された前記接触パターン信号を受信して、該接触パターン信号が表わす接触パターンと関連付けられた鳴動指示情報を、前記鳴動指示情報記憶手段から選択し、該選択された鳴動指示情報に対応する鳴動指示信号を出力する音声出力制御手段と、
出力された前記鳴動指示信号を受信して、該鳴動指示信号に対応する出力パターンで音声を鳴動させる音声鳴動手段とを有することを特徴とする表示装置である。
【００１２】
また本発明は、表示面を有する表示手段と、
前記表示面に物体が接触すると、物体の前記表示面への接触位置を検知して、該接触位置を表わす接触位置信号を出力する操作検知手段と、
複数の鳴動指示情報であって、各々が音声の出力パターンが互いに異なる鳴動を指示する複数の鳴動指示情報を、物体の接触位置と関連付けて記憶する鳴動指示情報記憶手段と、
出力された前記接触位置信号を受信して、該接触位置信号が表わす接触位置と関連付けられた鳴動指示情報を、前記鳴動指示情報記憶手段から選択し、該選択された鳴動指示情報に対応する鳴動指示信号を出力する音声出力制御手段と、
出力された前記鳴動指示信号を受信して、該鳴動指示信号に対応する出力パターンで音声を鳴動させる音声鳴動手段とを有することを特徴とする表示装置である。
【００１３】
また本発明は、複数の画像が表示される表示面を有する表示手段と、
前記複数の画像のうちの１つに物体が接触すると、該物体が接触した画像を検知して、該画像を表わす画像信号を出力する操作検知手段と、
複数の鳴動指示情報であって、各々が音声の出力パターンが互いに異なる鳴動を指示する複数の鳴動指示情報を、画像と関連付けて記憶する鳴動指示情報記憶手段と、
出力された前記画像信号を受信して、該画像信号に対応する画像と関連付けられた鳴動指示情報を、前記鳴動指示情報記憶手段から選択し、該選択された鳴動指示情報に対応する鳴動指示信号を出力する音声出力制御手段と、
出力された前記鳴動指示信号を受信して、該鳴動指示信号に対応する出力パターンで音声を鳴動させる音声鳴動手段とを有することを特徴とする表示装置である。
【００１４】
また本発明は、表示面を有する表示手段と、
前記表示面に物体が接触すると、物体の前記表示面への接触パターンを検知して、該接触パターンを表わす接触パターン信号を出力する操作検知手段と、
複数の振動指示情報であって、各々が振動の発生パターンが互いに異なる振動を指示する複数の振動指示情報を、接触パターンと関連付けて記憶する振動指示情報記憶手段と、
出力された前記接触パターン信号を受信して、該接触パターン信号が表わす接触パターンと関連付けられた振動指示情報を、前記振動指示情報記憶手段から選択し、該選択された振動指示情報に対応する振動指示信号を出力する振動制御手段と、
出力された前記振動指示信号を受信して、該振動指示信号に対応する発生パターンで前記装置本体を振動させる振動発生手段とを有することを特徴とする表示装置である。
【００１５】
また本発明は、表示面を有する表示手段と、
前記表示面に物体が接触すると、物体の前記表示面への接触位置を検知して、該接触位置を表わす接触位置信号を出力する操作検知手段と、
複数の振動指示情報であって、各々が振動の発生パターンが互いに異なる振動を指示する複数の振動指示情報を、物体の接触位置と関連付けて記憶する振動指示情報記憶手段と、
出力された前記接触位置信号を受信して、該接触位置信号が表わす接触位置と関連付けられた振動指示情報を、前記振動指示情報記憶手段から選択し、該選択された振動指示情報に対応する振動指示信号を出力する振動制御手段と、
出力された前記振動指示信号を受信して、該振動指示信号に対応する発生パターンで前記装置本体を振動させる振動発生手段とを有することを特徴とする表示装置である。
【００１６】
また本発明は、複数の画像が表示される表示面を有する表示手段と、
前記複数の画像のうちの１つに物体が接触すると、該物体が接触した画像を検知して、該画像を表わす画像信号を出力する操作検知手段と、
複数の振動指示情報であって、各々が振動の発生パターンが互いに異なる振動を指示する複数の振動指示情報を、画像と関連付けて記憶する振動指示情報記憶手段と、
出力された前記画像信号を受信して、該画像信号に対応する画像と関連付けられた振動指示情報を、前記振動指示情報記憶手段から選択し、該選択された振動指示情報に対応する振動指示信号を出力する振動制御手段と、
出力された前記振動指示信号を受信して、該振動指示信号に対応する発生パターンで前記装置本体を振動させる振動発生手段とを有することを特徴とする表示装置である。
【発明の効果】
【００１７】
本発明によれば、表示面に物体が接触すると、操作検知手段が、物体の接触パターンを検知して接触パターン信号を出力し、音声出力制御手段が、接触パターン信号に基づき、複数の異なる鳴動指示信号から１つの鳴動指示信号を選択して出力し、音声鳴動手段が、出力された鳴動指示信号に基づいて音声を出力するから、接触パターンの違いに応じて、異なる出力パターンの音声が出力される。したがって、ユーザーが意図する物体の接触パターンと、表示装置が認識する接触パターンとが一致しているかどうかが、ユーザーへ即座に知らされるので、ユーザーは、表示装置に対し正しく入力操作できたかどうかを容易に判定でき、誤操作を起こしたときには、直ちに操作を修正することが可能である。
【００１８】
また本発明によれば、表示面に物体が接触すると、操作検知手段が、物体の接触位置を検知して接触位置信号を出力し、音声出力制御手段が、接触位置信号に基づき、複数の異なる鳴動指示信号から１つの鳴動指示信号を選択して出力し、音声鳴動手段が、出力された鳴動指示信号に基づいて音声を出力するから、接触位置の違いに応じて、異なる出力パターンの音声が出力される。したがって、ユーザーが意図する接触位置と、表示装置が認識する接触位置とが一致しているかどうかが、ユーザーへ即座に知らされるから、ユーザーは、表示装置の正しい位置に入力操作できたかどうかを容易に判定でき、誤った位置に物体を接触させたときには、直ちに正しい接触位置へ修正することが可能である。
【００１９】
また本発明によれば、表示面に表示させた複数の画像のうちの１つに物体を接触させると、操作検知手段が、物体が接触する画像を検知して画像信号を出力し、音声出力制御手段が、画像信号に基づき、複数の異なる鳴動指示信号から１つの鳴動指示信号を選択して出力し、音声鳴動手段が、出力された鳴動指示信号に基づいて音声を出力するから、画像の違いに応じて、異なる出力パターンの音声が出力される。したがって、ユーザーが選択を意図した画像と、表示装置が認識する画像とが一致しているかどうかが、ユーザーへ即座に知らされるので、ユーザーは、正しい画像を選択できたかどうかを容易に判定でき、誤った画像を選択したときには、直ちに画像選択を修正することが可能である。
【００２０】
また本発明によれば、表示面に物体が接触すると、操作検知手段が、物体の接触パターンを検知して接触パターン信号を出力し、振動制御手段が、接触パターン信号に基づき、複数の異なる振動指示信号から１つの振動指示信号を選択して出力し、振動発生手段が、出力された振動指示信号に基づいて装置本体を振動させるから、接触パターンの違いに応じて、異なる振動パターンで装置本体が振動する。したがって、ユーザーが意図する物体の接触パターンと、表示装置が認識する接触パターンとが一致しているかどうかが、ユーザーへ即座に知らされるので、ユーザーは、表示装置に対し正しく入力操作できたかどうかを容易に判定でき、誤操作を起こしたときには、直ちに操作を修正することが可能である。
【００２１】
また本発明によれば、表示面に物体が接触すると、操作検知手段が、物体の接触位置を検知して接触位置信号を出力し、振動制御手段が、接触位置信号に基づき、複数の異なる振動指示信号から１つの振動指示信号を選択して出力し、振動発生手段が、出力された振動指示信号に基づいて装置本体を振動させるから、接触位置の違いに応じて、異なる振動パターンで装置本体が振動する。したがって、ユーザーが意図する接触位置と、表示装置が認識する接触位置とが一致しているかどうかが、ユーザーへ即座に知らされるから、ユーザーは、表示装置の正しい位置に入力操作できたかどうかを容易に判定でき、誤った位置に物体を接触させたときには、直ちに正しい接触位置へ修正することが可能である。
【００２２】
また本発明によれば、表示面に表示させた複数の画像のうちの１つに物体を接触させると、操作検知手段が、物体が接触する画像を検知して画像信号を出力し、振動制御手段が、画像信号に基づき、複数の異なる振動指示信号から１つの振動指示信号を選択して出力し、振動発生手段が、出力された振動指示信号に基づいて装置本体を振動させるから、画像の違いに応じて、異なる振動パターンで装置本体が振動する。したがって、ユーザーが選択を意図した画像と、表示装置が認識する画像とが一致しているかどうかが、ユーザーへ即座に知らされるので、ユーザーは、正しい画像を選択できたかどうかを容易に判定でき、誤った画像を選択したときには、直ちに画像選択を修正することが可能である。
【図面の簡単な説明】
【００２３】
【図１】本発明の第１の実施形態に係る表示装置１の概略構成を示すブロック図である。
【図２】本発明の第１の実施形態に係る表示装置１の動作を説明するフローチャートである。
【図３】図３（Ａ）は、表示面１０の正面図、図３（Ｂ）は、表示面１０をシングルタップしたときの音声鳴動パターンを説明するグラフである。
【図４】図４（Ａ）は、表示面１０の正面図、図４（Ｂ）は、表示面１０をダブルタップしたときの音声鳴動パターンを説明するグラフである。
【図５】図５（Ａ）は、表示面１０の正面図、図５（Ｂ）は、表示面１０でドラッグしたときの音声鳴動パターンを説明するグラフである。
【図６】図６（Ａ）は、表示面１０の正面図、図６（Ｂ）は、表示面１０をロングプレスしたときの音声鳴動パターンを説明するグラフである。
【図７】本発明の第２の実施形態に係る表示装置１の表示面１０を示す正面図である。
【図８】本発明の第３の実施形態に係る表示装置１の表示面１０を示す正面図である。
【発明を実施するための形態】
【００２４】
（第１の実施形態）
本発明は、表示面を有する表示手段と、該表示面に物体が接触したときに、その物体の接触パターンを検知する操作検知手段とを有する表示装置を対象とする。このような表示装置は、たとえば、スマートフォン、携帯電話装置、ＰＤＡ（Personal Digital Assistants）、タブレット型ＰＣ（Personal Computer）、ノート型ＰＣなどが挙げられる。以下は、本発明を、スマートフォンに用いる場合の実施形態について説明するが、適用対象とする表示装置の種類は、これに限定されない。
【００２５】
図１は、本発明の第１の実施形態に係る表示装置１の概略構成を示すブロック図、図２は、表示装置１の動作を示すフローチャート、図３（Ａ）は、表示面１０の正面図、図３（Ｂ）は、表示面１０をシングルタップしたときの音声鳴動パターンを説明するグラフ、図４（Ａ）は、表示面１０の正面図、図４（Ｂ）は、表示面１０をダブルタップしたときの音声鳴動パターンを説明するグラフ、図５（Ａ）は、表示面１０の正面図、図５（Ｂ）は、表示面１０でドラッグしたときの音声鳴動パターンを説明するグラフ、図６（Ａ）は、表示面１０の正面図、図６（Ｂ）は、表示面１０をロングプレスしたときの音声鳴動パターンを説明するグラフである。
【００２６】
図１に示す表示装置１は、操作検知部２、鳴動制御部３、鳴動部４、振動制御部５、振動部６、表示制御部７、表示部８を備える。本実施形態では、操作検知部２が操作検知手段を構成し、鳴動制御部３が音声出力制御手段を構成し、鳴動指示情報記憶部３ａが鳴動指示信号記憶手段を構成し、鳴動部４が音声鳴動手段を構成する。また、振動制御部５が振動制御手段を構成し、振動指示情報記憶部５ａが振動指示信号記憶手段を構成し、振動部６が振動出力手段を構成し、表示制御部７および表示部８が表示手段を構成する。さらに表示部８が、表示面を有している。
【００２７】
操作検知部２は、たとえばタッチパネルから成り、ユーザーが指やタッチペンなどの操作体を表示部８の表示面に接触させたときに、その接触時間、接触回数、接触後の摺動方向などに基づいて分類される接触パターンと、表示面における操作体の接触位置とを検知する。そして、検知した操作体の接触パターンを表わす接触パターン信号、および接触位置を表わす接触位置信号を、鳴動制御部３と振動制御部５とにそれぞれ出力する機能を有している。
【００２８】
鳴動制御部３は、鳴動指示信号記憶手段である鳴動指示情報記憶部３ａを備え、ここに予め生成した複数の異なる鳴動指示信号が記憶される。なお鳴動指示情報記憶部３ａは、鳴動制御部３と一体であっても別体であってもよい。鳴動制御部３は、後述する入力信号に応じて、複数の異なる鳴動指示信号から、１つの鳴動指示信号を選択し、この選択した鳴動指示信号を、鳴動部４へ出力する機能を有している。鳴動指示信号を選択するために鳴動制御部３に与えられる入力信号とは、操作検知部２から出力される接触パターン信号または接触位置信号、表示制御部７から出力される画像信号、および、これら３種類の信号の組合わせである。
【００２９】
鳴動部４は、鳴動制御部１１が出力する鳴動指示信号に基づき、音声を出力する機能を有している。鳴動部４は、たとえばスピーカによって実現される。
【００３０】
振動制御部５は、振動指示信号記憶手段である振動指示情報記憶部５ａを備え、ここに予め生成した複数の異なる振動指示信号が記憶される。なお振動指示情報記憶部５ａは、振動制御部５と一体であっても別体であってもよい。振動制御部５は、入力信号に応じて、複数の異なる振動指示信号から１つの振動指示信号を選択し、この選択した振動指示信号を、振動部６へ出力する機能を有している。振動指示信号を出力するために振動制御部５に与えられる入力信号とは、操作検知部２から出力される接触パターン信号または接触位置信号、表示制御部７から出力される画像信号、および、これら３種類の信号の組合わせである。
【００３１】
振動部６は、振動制御部５が出力する振動指示信号に基づき、装置本体を振動させる機能を有している。振動部６は、たとえばバイブレータによって実現される。
【００３２】
表示制御部７は、表示すべき画像信号を、表示部８へ出力する機能を有している。表示部８は、たとえば液晶表示パネルや有機ＥＬ表示パネルなどで構成され、表示制御部５から与えられる画像信号に基づいて、表示面に画像を表示する機能を有している。
【００３３】
前述のごとく構成された表示装置１において、表示面に操作体を接触させる接触パターンの違いに応じ、異なる出力パターンで音声を出力させる場合の実施形態について、図２〜６を用いて説明する。なお本実施形態では、操作体の接触パターンを、次の４通りとする。
【００３４】
「シングルタップ」操作体が表示面１０に１回だけ接触し、かつ、接触時間が所定の時間未満である。
「ダブルタップ」操作体が表示面１０のほぼ同一箇所に、所定の時間内に２回続けて接触する。
「ドラッグ」操作体が、表示面１０に接触した状態を保持したまま、表示面１０上で移動する。
「ロングプレス」操作体が表示面１０の一箇所に接触した状態を所定時間以上保持する。
【００３５】
はじめに、表示装置１を起動させ（図２のフローチャートのステップＳ１。以下、「ステップ」表記を省略する。）、操作検知部２が、表示面１０に対する操作体の接触の有無を検知可能な状態とする（Ｓ２）。さらに表示装置１を、操作体の接触パターンに応じて、異なる出力パターンで音声を出力する状態とする（Ｓ３）。表示装置１のこの状態を、「パターン鳴動モード」という。
【００３６】
「パターン鳴動モード」に対し、操作体の接触パターンが異なっても、音声の出力パターンを１種類だけとする「通常鳴動モード」を設定し、必要に応じ「パターン鳴動モード」と「通常鳴動モードとを切換可能としてもよい。
【００３７】
ユーザーが、表示装置１に所定の動作を実行させるため、パターン鳴動モードにある表示装置１の表示面１０に、指またはタッチペンなどの操作体を接触させて所定の接触動作を行うと（Ｓ４）、操作検知部２が、操作体の表示面１０との接触時間、接触回数、接触後の摺動方向などの情報から、操作体の接触パターンが「シングルタップ」「ダブルタップ」「ドラッグ」「ロングプレス」のいずれに該当するかを検知し（Ｓ５）、検知した接触パターン信号を鳴動制御部３へ出力する（Ｓ６）。鳴動制御部３は、操作検知部２から出力された接触パターン信号に基づいて、鳴動指示情報記憶部３ａに予め記憶されている複数の異なる鳴動指示信号のうちから、１つを選択し（Ｓ７）、選択した鳴動指示信号を鳴動部４へ出力する（Ｓ８）。鳴動部４は、出力された鳴動指示信号に基づいた出力パターンで、音声を出力させる（Ｓ９）。
【００３８】
本実施形態では、鳴動指示情報記憶部３ａに記憶されている鳴動指示信号は、操作体の４つの接触パターンすなわち「シングルタップ」「ダブルタップ」「ドラッグ」「ロングプレス」に関連付けられている。さらに「ドラッグ」については、操作体の移動方向に応じて、異なる鳴動指示信号が関連付けて記憶される。
【００３９】
鳴動部４が出力する音声の出力パターンを、図３〜６を用いて説明する。図３（Ａ）に示すように、表示部８の表示面１０を操作体でシングルタップした場合（接触位置をＴ１で示す）は、鳴動部４が出力する音声の出力パターンは、図３（Ｂ）に示すように、音の大きさが標準であり、持続時間の短い音声を、シングルタップの時点に合わせて、１回だけ出力するパターンとする。
【００４０】
図４（Ａ）に示すように、表示面１０をダブルタップした場合（接触位置Ｔ２を便宜的に２つの異なる●で表わすが、２回の接触位置は同一でもよい）は、図４（Ｂ）に示すように、持続時間の短い２つの音声を連続して、ダブルタップの時点に合わせて出力するとともに、一回目の出力音よりも、２回目の出力音の大きさを大きくする出力パターンとする。
【００４１】
図５に示すように、表示面１０上をドラッグする場合は、ドラッグの方向によって、音声鳴動パターンを変化させる。図５（Ａ）に示すように、操作体を、最初に接触させた接触位置Ｔ３から、表示面１０の下方（ａ方向）へ摺動させるときは、図５（Ｂ）に示すように、ドラッグ操作に合わせて、出力される音の高さが連続的または段階的に高くなる出力パターンとする。操作体を、最初の接触位置Ｔ３から、表示面１０の上方（ｂ方向）へ摺動させるときは、ドラッグ操作に合わせて、出力される音の高さが連続的または段階的に低くなる出力パターンとする。操作体を、最初の接触位置Ｔ３から、表示面１０の右方向（ｃ方向）へ摺動させるときは、標準の音の高さ（たとえば、図３のシングルタップ時の出力音の高さ）に比べて高い音を、ドラッグ操作の間、持続させて出力する出力パターンとする。操作体を、最初の接触位置Ｔ３から、表示面１０の左方向（ｄ方向）へ摺動させるときは、標準の音の高さに比べて低い音を、ドラッグ操作の間、持続させて出力する出力パターンとする。
【００４２】
なおドラッグの方向は、必ずしも図５（Ａ）のａ，ｂ，ｃ，ｄの方向に対し平行な方向になされるとは限らない。そこで、最初の接触位置Ｔ３を基準として、Ｔ３にて直角に交差する２本の直線Ｌ１，Ｌ２を想定し、ドラッグの終点位置が、この直線Ｌ１，Ｌ２によって区画される領域のいずれに属するかに基づいて、操作体の接触パターンを決定する。すなわち、ドラッグの終点位置が、直線Ｌ１，Ｌ２によって区画される領域のうち、最初の接触位置Ｔ３からａ方向にドラッグしたときの終点位置Ｔａが含まれる領域に属するときは、このドラッグは、ａ方向へのドラッグであると判定する。同様に、ドラッグの終点位置が、ｂ方向にドラッグしたときの終点位置Ｔｂが含まれる領域に属するときはｂ方向へのドラッグであると判定し、ｃ方向にドラッグしたときの終点位置Ｔｃが含まれる領域に属するときはｃ方向へのドラッグであると判定し、ｄ方向にドラッグしたときの終点位置Ｔｄが含まれる領域に属するときはｄ方向へのドラッグであると判定する。
【００４３】
このような判定方法によってドラッグ方向を決めることにより、どの方向へドラッグした場合でも、いずれかに分類することが可能となる。
【００４４】
図６（Ａ）に示すように、表示面１０をロングプレスした場合（接触位置Ｔ４を便宜的に横長の矩形で表わす）は、図６（Ｂ）に示すように、持続時間の短い音声を連続して、ロングプレスの持続時間に合わせて出力する出力パターンとする。
【００４５】
以上説明したように、本実施形態では、操作体を表示装置１の表示面に接触させるときの接触パターンに応じて、異なる出力パターンで音声が出力されるので、ユーザーが意図した接触パターンのとおりに、表示装置１が接触パターンを認識しているかどうかを判定することができる。たとえば、ユーザーが、ダブルタップを意図して操作体を表示面に２度連続して接触させときに、表示装置１から出力される音声が、２つの同音量の音声であったときは、表示装置１では、ユーザーの操作を、意図とは異なる２つのシングルタップであると認識していることが直ちに分かる。
【００４６】
（第２の実施形態）
図７は、本発明の第２の実施形態に係る表示装置１の表示面１０を示す正面図である。本実施形態では、表示面１０を８分割し、各分割エリアＲ１〜Ｒ８それぞれに対し、たとえばド、レ、ミ、ファ…の音階を割り当て、操作体を表示面１０に接触させると、接触した分割エリアＲ１〜Ｒ８に応じた音階が出力されるように、鳴動指示信号を作成したものである。
【００４７】
本実施形態によれば、ユーザーが操作体を表示面１０のどの領域に接触させたかを、音階によって知ることができる
【００４８】
（第３の実施形態）
図８は、本発明の第３の実施形態に係る表示装置１の表示面１０を示す正面図である。本実施形態は、表示面１０を文字入力手段として機能させるため、表示面１０に五十音の各行を表わす「あ、か、さ、た、な、は、ま、や、ら、わ」の文字を付した画像Ｋを表示させる場合において、各画像Ｋに対し、それぞれに付された文字「あ、か、さ、た、な、は、ま、や、ら、わ」の音声を割り当て、当該画像Ｋに操作体を接触させたときに割り当てた音声が鳴動するように、音声鳴動パターンを作成したものである。
【００４９】
本実施形態によれば、表示面１０に表示させた画像Ｋのうち、ユーザーが操作体をどの画像に接触させているかを、出力される音声で容易に区別できるから、文字の誤入力を防止できる。
【００５０】
また図示は省略するが、表示装置１に組込まれているアプリケーションを実行させるためのアイコン画像が表示面１０に表示されている場合に、各アイコン画像それぞれに異なる音声出力パターンを割り当てることにより、選択したアイコン画像が、ユーザーが意図したアプリケーションのものであるかどうかを、音声の出力パターンによって直ちに判定することが可能となる。
【００５１】
（その他の実施形態）
前記実施形態は、操作体の接触パターン、接触位置、接触画像に応じて、異なる鳴動指示信号を出力して、異なる出力パターンの音声を出力させるものであるが、音声に代えて、装置本体の振動の発生パターンを変化させるように構成することも可能である。
【００５２】
また、操作体の接触パターン、接触位置、接触画像に応じて、異なる色の発光や、異なる点滅パターンの発光を併用してもよい。
【００５３】
さらに、音声の出力パターンと振動の発生パターンとを組合わせ、操作体を接触させたときの接触パターン、接触位置、接触画像に応じて、異なる音声出力および振動発生が実行されるように構成してもよい。
【符号の説明】
【００５４】
１  表示装置
２  操作検知部
３  鳴動制御部
４  鳴動部
５  振動制御部
６  振動部
７  表示制御部
８  表示部
１０  表示面
【図１】
2014179026.tif 000003
【図２】
2014179026.tif 000004
【図３】
2014179026.tif 000005
【図４】
2014179026.tif 000006
【図５】
2014179026.tif 000007
【図６】
2014179026.tif 000008
【図７】
2014179026.tif 000009
【図８】
2014179026.tif 000010